(57)【特許請求の範囲】
【請求項１】
通常時刻を表示するための通常時刻表示部と、
前記通常時刻以外の時刻情報を表示するための時刻情報表示部と、
前記時刻情報表示部を機械的に帰零させるための帰零レバー及び前記帰零レバーを作動させるための作動カムを有する帰零機構とを備えた計時装置であって、
前記作動カムが装置本体の略中央に配設されており、
前記通常時刻表示部の指針を取り付ける指針車の回転中心位置及び前記時刻情報表示部の指針を取り付ける指針車の回転中心位置が、前記装置本体の略中央の周辺部に配置されていることを特徴とする計時装置。
【請求項２】
１つの前記作動カムが、複数の前記帰零レバーを作動させる請求項１に記載の計時装置。
【請求項３】
機械的エネルギを電気的エネルギに変換し、前記通常時刻表示部及び時刻情報表示部を駆動するための駆動電圧を発生する発電装置を備えた請求項１〜２のいずれかに記載の計時装置。
【請求項４】
前記発電装置が、発電用ロータと、発電用コイルとから成る請求項３に記載の計時装置。
【請求項５】
前記発電用ロータが、回転錘により回転する請求項４に記載の計時装置。
【請求項６】
前記通常時刻以外の時刻情報が、クロノグラフである請求項１〜５のいずれかに記載の計時装置。
【請求項７】
前記通常時刻以外の時刻情報が、２種類以上の時間単位の表示手段を有する請求項１〜６のいずれかに記載の計時装置。
【請求項８】
前記２種類以上の時間単位の表示手段が、輪列を有する請求項７に記載の計時装置。
【請求項９】
前記計時装置が、腕時計である請求項１〜８のいずれかに記載の計時装置。
【請求項１０】
前記計時装置が、クォーツ式の時計である請求項１〜９のいずれかに記載の計時装置。
【発明の詳細な説明】
【０００１】
【発明の属する技術分野】
本発明は、針を備えた多機能の計時装置に関するものである。
【０００２】
【従来の技術】
従来、針を備えた多機能の計時装置としては、例えばアナログ表示式のクロノグラフ機能を有する腕時計がある。この腕時計は、クロノグラフを動作させるための例えば機械式の帰零機構を備えている。
【０００３】
図１８は、従来のアナログ表示式のクロノグラフ機能を有する腕時計の帰零機構の一例を示す平面図である。この帰零機構は、時計本体１の中央に配置された秒クロノグラフ針２を動作させる機構である。
【０００４】
スタート／ストップボタン３が押されると、作動レバー４により作動カム５が一歯回転し、第１発停レバー６の先端が作動カム５に設けられている柱５ａの間に落ち込む。これにより、第１発停レバー６及び第２発停レバー７は、秒クロノグラフ針２に駆動力を伝達するリング８から離れるので、秒クロノグラフ針２が回動する。そして、再びスタート／ストップボタン３が押されると、作動レバー４により作動カム５が一歯回転し、第１発停レバー６の先端が作動カム５の柱５ａにより持ち上げられる。これにより、第１発停レバー６及び第２発停レバー７は、リング８と接触してリング８を持ち上げるので、秒クロノグラフ針２に駆動力は伝達されず、秒クロノグラフ針２が停止して計測時間を表示する。さらに、リセットボタン９が押されると、作動レバー１０により作動カム５が一歯回転し、帰零レバー１１の先端が作動カム５の柱５ａの間に落ち込む。これにより、帰零レバー１１は、秒クロノグラフ針２に連結されているハートカム１２を叩くので、秒クロノグラフ針２が零位置に戻る。
【０００５】
【発明が解決しようとする課題】
上述した従来の計時装置であるアナログ表示式のクロノグラフ機能を有する腕時計では、秒クロノグラフ針２が時計本体１の中央に配置されているため、その帰零機構を時計本体１の一方の側に配設させる必要がある。従って、時計本体１の他方の側に無駄なスペースが生じ易く、時計本体１が大型化してしまうという問題があった。
【０００６】
また、帰零機構の作動カム５を時計本体１の中央に配置することができないので、クロノグラフ針を複数備えている腕時計の場合、各クロノグラフ針の帰零レバーの長さを変える必要がある。従って、各ハートカムを叩くときの各帰零レバーのトルクやタイミングを同一に設計することが困難となり、精度をより高めることに限界が生じるという問題や、配置で無駄なスペースが生じ易く、時計本体１が大型化してしまうという問題があった。
【０００７】
本発明の目的は、上記課題を解消して、小型であって高精度の計時装置を提供することである。
【０００８】
【課題を解決するための手段】
本発明は、通常時刻を表示するための通常時刻表示部と、前記通常時刻以外の時刻情報を表示するための時刻情報表示部と、前記時刻情報表示部を機械的に帰零させるための帰零レバー及び前記帰零レバーを作動させるための作動カムを有する帰零機構とを備えた計時装置であって、前記作動カムが装置本体の略中央に配設されており、前記通常時刻表示部の指針を取り付ける指針車の回転中心位置及び前記時刻情報表示部の指針を取り付ける指針車の回転中心位置が、前記装置本体の略中央の周辺部に配置されていることを特徴とする計時装置である。
【０００９】
この構成により、作動カムを計時装置の本体の略中央部に配置したことにより、帰零機構全体をコンパクトに構成することができ、計時装置の本体を小型化することでボタン位置やレイアウトを自由にできる。加えて本発明では、計時装置の本体の略中央部の周辺部に通常時刻表示部及び時刻情報表示部の指針を取り付ける指針車を配置しているので、作動カムを計時装置の本体の略中央部に配置して帰零機構全体をコンパクトに構成することができ、計時装置の本体を小型化することでボタン位置やレイアウトを自由にできる。
【００１２】
更に本発明は、１つの前記作動カムが、複数の前記帰零レバーを作動させる計時装置である。
【００１３】
この構成によれば、複数の帰零レバーの長さを略同一にして各帰零レバーを１つの作動カムで動作させることができるので、各帰零レバーのトルクやタイミングを同一に設計することが可能となり、精度をより高めることができる。
【００１４】
更に本発明は、機械的エネルギを電気的エネルギに変換し、前記通常時刻表示部及び時刻情報表示部を駆動するための駆動電圧を発生する発電装置を備えた計時装置である
【００１５】
この構成によれば、発電装置により駆動電圧が供給されるので、電源電池を不要とすることができる。
【００１６】
更に本発明は、前記発電装置が、発電用ロータと、発電用コイルとから成る計時装置である。
【００１７】
この構成によれば、発電用ロータを回転させ、電磁誘導により発電用コイルにモータの駆動電圧を発生させている。
【００１８】
更に本発明は、前記発電用ロータが、回転錘により回転する計時装置である。
【００１９】
この構成によれば、発電用ロータを回転錘により回転させているので、モータの駆動電圧の蓄電を自動化させることができる。
【００２０】
更に本発明は、前記通常時刻以外の時刻情報が、クロノグラフである計時装置である。
【００２１】
この構成によれば、通常時刻以外の時刻情報の表示部をクロノグラフとしているので、通常時刻を表示させながら任意の時間を計測することができる。
【００２２】
更に本発明は、前記通常時刻以外の時刻情報が、２種類以上の時間単位の表示手段を有する計時装置である。
【００２３】
この構成によれば、通常時刻以外に例えば１／１０秒や１２時間といった時間単位を表示させることができる。
【００２４】
更に本発明は、前記２種類以上の時間単位の表示手段が、輪列を有する計時装置である。
【００２５】
この構成によれば、２種類以上の時間単位の表示手段を輪列で動作させているので、スムーズな動作をさせることができる。
【００２６】
更に本発明は、前記計時装置が、腕時計である。
【００２７】
この構成によれば、小型でかつ電池等の交換が不要な例えばクロノグラフとして構成することができる。
【００２８】
更に本発明は、前記計時装置が、クォーツ式の時計である。
【００２９】
この構成によれば、メカ帰零構造を持つクォーツ式の小型でかつ電池等の交換が不要な例えばクロノグラフとして構成することができる。
【００３０】
【発明の実施の形態】
以下、本発明の好適な実施の形態を図面に基づいて説明する。
【００３１】
本発明の計時装置の特徴的な部分としては、通常時刻表示と通常時刻以外の時刻情報表示の配置による機械的な帰零機構の構造にある。
【００３２】
図１は、本発明の計時装置の実施形態を表側から見た平面図である。
【００３３】
図１に示す計時装置１０００は、クロノグラフ機能を有するアナログの電子時計であり、外装ケース１００１の内側に文字板１００２及び透明なガラス１００３がはめ込まれている。外装ケース１００１の４時位置には、外部操作部材であるりゅうず１１０１が配置され、略２時位置及び略１０時位置には、クロノグラフ用のスタート／ストップボタン１２０１及びリセットボタン１２０２が配置されている。また、文字板１００２の略６時位置には、通常時刻用の指針である時針１１１１、分針１１１２及び秒針１１１３を備えた通常時刻表示部１１１０が配置され、略３時位置、略１２時位置及び略９時位置には、クロノグラフ用の副針を備えた表示部１２１０、１２２０、１２３０が配置されている。即ち、略３時位置には、１２時間を針で表示するための時分クロノグラフ針１２１１、１２１２を備えた１２時間表示部１２１０が配置され、略１２時位置には、６０秒間を針で表示するための１秒クロノグラフ針１２２１を備えた６０秒間表示部１２２０が配置され、略９時位置には、１秒間を針で表示するための１／１０秒クロノグラフ針１２３１を備えた１秒間表示部１２３０が配置されている。
【００３４】
このように、図１に示す計時装置１０００は、通常時刻表示部１１１０、１２時間表示部１２１０、６０秒間表示部１２２０及び１秒間表示部１２３０が、計時装置１０００の本体の中心以外の位置に配置されているので、後述する帰零機構１２００Ｒを計時装置１０００の本体の中心の位置に配置することができるようになる。
【００３５】
図２は、図１に示す計時装置１０００のムーブメント１７００を計時装置１０００の裏側から見た平面図である。
【００３６】
図２に示すムーブメント１７００は、地板１７０１上の６時方向側に通常時刻表示部１１１０の針を駆動するためのモータ１３００、モータ１３００の駆動力を通常時刻表示部１１１０の針に伝達するための通常時刻輪列１１００Ｇ、通常時刻表示部１１１０の時刻やカレンダの修正状態に切り換える切換部１１００Ｃ及び制御回路１８００を構成するＩＣ１７０２、音叉型水晶振動子１７０３、大容量コンデンサ１８１４等が配置され、１２時方向側に１２時間表示部１２１０、６０秒間表示部１２２０、１秒間表示部１２３０の針を駆動するためのモータ１４００、モータ１４００の駆動力を各表示部１２１０、１２２０、１２３０の針に伝達するためのクロノグラフ輪列１２００Ｇ及びリチウムイオン電源等の２次電源１５００が配置されている。
【００３７】
図２において、通常時刻輪列１１００Ｇは、五番車１１２１、四番車１１２２、三番車１１２３、二番車１１２４、日の裏車１１２５、筒車１１２６の輪列を備えており、これらの輪列構成により通常時刻の秒表示、分表示及び時表示を行っている。上記各指針車の回転中心位置は、装置本体の略中央の周辺部に配置されるようにする。すなわち、各指針車の歯車部を含めた全体が、装置本体の中央部から外れて配置される場合と、各指針車の回転中心は、装置本体の中央部から外れているが、歯車部の外周部などの一部は、装置本体の中央に掛かって配置される場合がある。
【００３８】
図２において、モータ１３００、１４００は、ステップモータであり、高透磁材より成る磁心をコアとするコイルブロック１３０２、１４０２、高透磁材より成るステータ１３０３、１４０３、ロータ磁石とロータかなより成るロータ１３０４、１４０４により構成されている。
【００３９】
図２において、切換部１１００Ｃは、一端に図１に示すりゅうず１１０１が固定され、他端につづみ車１１２７が嵌合されている巻真１１２８と、小鉄車１１２９、おしどり１１３１、おしどり押え１１３２、かんぬき１１３３、規正レバー１１３０を備えている。
【００４０】
おしどり１１３１には、クリックピン１１３１ｂ及びおしどり回転軸１１３１ａと対向してもう１本の動作ピン１１３１ｃが設けられている。この動作ピン１１３１ｃには、かんぬき１１３３と規正レバー１１３０の形状内に設けられたかんぬき長穴部１１３３ａと規正レバー長穴部１１３０ａが係合している。また、つづみ車１１２７は、その中心穴が巻真１１２８に案内されており、巻真１１２８の回転と共に回転駆動が可能である。
【００４１】
かんぬき１１３３は、かんぬき回転軸１１３３ｂを中心に回転可能である。また、その先端は、つづみ車１１２７に設けられた切り欠き部と係合している。このかんぬき１１３３の働きは、つづみ車１１２７を前後に動作させてカレンダ修正状態及び時刻修正状態を作り出す。かんぬき１１３３は、ばね部を有しており、常におしどり１１３１のおしどり回転軸１１３１ａ方向に力が働いている。おしどり１１３１が回転すると、おしどり１１３１の動作ピン１１３１ｃも回転し、その動作ピン１１３１ｃに係合しているかんぬき長穴部１１３３ａにより、かんぬき１１３３先端は、１段目においてはつづみ車１１２７を外形側に、２段目においてはつづみ車１１２７を中心側に動作させる。１段目においてはつづみ車１１２７に設けられた歯車が裏側のカレンダ部品とかみ合い、カレンダ修正が可能となる。２段目においてはつづみ車１１２７の先端の歯車が小鉄車１１２９とかみ合い、時刻修正が可能となる。
【００４２】
規正レバー１１３０の働きは、時刻修正時に四番車１１２２を規正すると共に、リセット信号を入力し運針パルスを停止する。動作はかんぬき１１３３と同様におしどり１１３１の動作ピン１１３１ｃの回動により係合している規正レバー長穴部１１３０ａに沿って規正レバー回転軸１１３０ｂを中心に回転動作し、四番車１１２２を規正すると共に、リセットパターンに接触する。規正レバー１１３０の作用は２段目のみでよいため、規正レバー長穴部１１３０ａの形状は０段目〜１段目まではおしどり１１３１の動作ピン１１３１ｃの回転軌跡をそのまま逃げている。
【００４３】
以上のような構成において、りゅうず１１０１を引っ張って巻真１１２８を２段目に引き出すと、規正レバー１１３０に設けたリセット信号入力部１１３０ｂが、ＩＣ１７０２を実装した回路基板１７０４のパターンに接触し、モータパルスの出力が停止され運針が停止する。このとき、規正レバー１１３０に設けた四番規正部１１３０ａにより四番歯車１１２２ａの回転が規正されている。この状態でりゅうず１１０１と共に巻真１１２８を回転させると、つづみ車１１２７から小鉄車１１２９、日の裏中間車１１２５ａを介して日の裏車１１２５に回転力が伝わる。ここで、二番歯車１１２４ａは一定の滑りトルクを有して二番かな１１２４ｂと結合されているため、四番車１１２２が規正されていても小鉄車１１２９、日の裏車１１２５、二番かな１１２４ｂ、筒車１１２６は回転する。従って、分針１１１２及び時針１１１１は回転するので、任意の時刻が設定できる。
【００４４】
図２において、クロノグラフ輪列１２００Ｇは、１／１０秒ＣＧ（クロノグラフ）中間車１２３１、１／１０秒ＣＧ車１２３２の輪列を備えており、１／１０秒ＣＧ車１２３２が１秒間表示部１２３０のセンタ位置に配置されている。これらの輪列構成により、時計体の９時位置にクロノグラフの１／１０秒表示を行っている。
【００４５】
また、図２において、クロノグラフ輪列１２００Ｇは、１秒ＣＧ第１中間車１２２１、１秒ＣＧ第２中間車１２２２、１秒ＣＧ車１２２３の輪列を備えており、１秒ＣＧ車１２２３が６０秒間表示部１２２０のセンタ位置に配置されている。これらの輪列構成により、時計体の１２時位置にクロノグラフの１秒表示を行っている。
【００４６】
さらに、図２において、クロノグラフ輪列１２００Ｇは、分ＣＧ第１中間車１２１１、分ＣＧ第２中間車１２１２、分ＣＧ第３中間車１２１３、分ＣＧ第４中間車１２１４、時ＣＧ中間車１２１５、分ＣＧ車１２１６及び時ＣＧ車１２１７の輪列を備えており、分ＣＧ車１２１６及び時ＣＧ車１２１７が同心で１２時間表示部１２１０のセンタ位置に配置されている。これらの輪列構成により、時計体の３時位置にクロノグラフの時分表示を行っている。上記各指針車の回転中心位置は、装置本体の略中央の周辺部に配置されるようにする。すなわち、各指針車の歯車部を含めた全体が、装置本体の中央部から外れて配置される場合と、各指針車の回転中心は、装置本体の中央部から外れているが、歯車部の外周部などの一部は、装置本体の中央に掛かって配置される場合がある。
【００４７】
尚、本実施形態のように、通常時刻表示部１１１０と時刻情報表示部１２１０、１２２０、１２３０の両方の指針車が、装置本体の中央の周辺部に配置されている場合の他に、通常時刻表示部１１１０の指針車のみは、装置本体の中央部に配置されている形態でも良い。
【００４８】
図３は、図２に示すムーブメント１７００の上に配設された回路基板１７０４を計時装置１０００の裏側から見た平面図であり、回路基板１７０４に電気的に接続された部品のみを示している。
【００４９】
図３に示す回路基板１７０４は、例えばフレキシブルプリント基板であり、ＩＣ１７０２、音叉型水晶振動子１７０３、大容量コンデンサ１８１４等が実装されている。そして、通常時刻及びクロノグラフの駆動パルスは、ＩＣ１７０２より発生し、図示しない銅箔パターンに接続されている各モータ１３００、１４００のコイルブロック１３０２、１４０２に伝達される。
【００５０】
２次電源１５００のプラスと回路基板１７０４との接続は、ボタン型の２次電源１５００の側面に、金属より成る地板１７０１に打ち込まれたピン１５０１により案内されているプラス端子１５０２の先端ばね部が一定のばね力を持って接し、上記ピン１５０１の先端に、プラスリード板１５０３が接し、さらにプラスリード板１５０３の先端ばね部が、一定のばね力を持って回路基板１７０４のプラスパターンに接することにより取られている。従って、２次電源１５００からＩＣ１７０２へプラスが供給される経路は、２次電源１５００→プラス端子１５０２→ピン１５０１→プラスリード板１５０３→回路基板１７０４のプラスパターン→ＩＣ１７０２となる。また、２次電源１５００のマイナスと回路基板１７０４との接続は、２次電源１５００の端面に溶接されて導通がとられているマイナス端子１５０４の外周部に設けられているばね部が、一定のばね力を持って回路基板１７０４のマイナスパターンに接することにより取られている。従って、２次電源１５００からＩＣ１７０２へマイナスが供給される経路は、２次電源１５００→マイナス端子１５０４→回路基板１７０４のマイナスパターン→ＩＣ１７０２となる。尚、マイナス端子１５０４上には、第３中間受板２００３との短絡を防止するため、絶縁板１５０５が取り付けられている。
【００５１】
図４は、図３に示す回路基板１７０４の上に配設された第１中間受板２００１、第２中間受板２００２及び第３中間受板２００３を計時装置１０００の裏側から見た平面図である。
【００５２】
図４に示すように、第１中間受板２００１は、モータ１３００、切換部１１００Ｃ及び制御回路１８００を構成する音叉型水晶振動子１７０３、大容量コンデンサ１８１４等を覆うように、６時方向側の最外郭側に配置されている。第２中間受板２００２は、通常時刻輪列１１００Ｇ及び制御回路１８００を構成するＩＣ１７０２等を覆うように、第１中間受板２００１の内側に配置されている。第３中間受板２００３は、クロノグラフ輪列１２００Ｇ、モータ１４００及びリチウムイオン電源等の２次電源１５００等を覆うように、１２時方向側に配置されている。
【００５３】
図５は、図４に示す第２中間受板２００２の上に配設され、機械的エネルギを電気的エネルギに変換し、通常時刻計時部１１００及び時刻情報計時部１２００を駆動するための駆動電圧を発生する発電装置１６００（回転錘１６０５を除く発電機構１６０１）及び図４に示す第３中間受板２００３及び第１中間受板２１０２の上に配設され、通常時刻以外の時刻情報の計時を帰零させるための帰零機構１２００Ｒを計時装置１０００の裏側から見た平面図である。また、図６は、発電機構１６０１の上に配設される発電装置１６００の回転錘１６０５を計時装置１０００の裏側から見た平面図である。
【００５４】
図５及び図６に示す発電装置１６００は、高透磁材に巻かれた発電コイル１６０２、高透磁材より成る発電ステータ１６０３、永久磁石とかな部より成る発電ロータ１６０４、上部受板２０１０上に配置される片重りの回転錘１６０５等により構成されている。
【００５５】
回転錘１６０５及び回転錘１６０５の下方に配置されている回転錘車１６０６は、上部受板２０１０に固着された軸に回転可能に軸支され、回転錘ネジで軸方向の外れを防止している。回転錘車１６０６は、発電ロータ伝え車のかな部１６０８ａとかみ合い、発電ロータ伝え車の歯車部１６０８ｂは、発電ロータ１６０４のかな部とかみ合っている。この輪列は、３０倍から２００倍程度に増速されている。この増速比は、発電装置の性能や時計の仕様により自由に設定することが可能である。
【００５６】
このような構成において、使用者の腕の動作等により回転錘１６０５が回転すると、発電ロータ１６０４が高速に回転する。発電ロータ１６０４には永久磁石が固着されているので、発電ロータ１６０４の回転のたびに、発電ステータ１６０３を通して発電コイル１６０２を鎖交する磁束の方向が変化し、電磁誘導により発電コイル１６０２に交流電圧が発生する。この交流電圧は、回路基板１７０４に実装されている整流回路によって整流されて２次電源１５００に充電される。
【００５７】
続いて、本発明の特徴的な部分である帰零機構１２００Ｒの構造について説明する。
【００５８】
図７は、帰零機構１２００Ｒの主要部の概略構成例を示す断面側面図である。尚、図５に示す帰零機構１２００Ｒは、リセット状態を、図７に示す帰零機構１２００Ｒは、ストップ状態を示している。
【００５９】
図５及び図７において、帰零機構１２００Ｒは、計時装置１０００の本体の略中央部に配置されている作動カム１２４０の回転により、スタート／ストップ及びリセットが機械式に行われる構成となっている。作動カム１２４０は、円筒状に形成されており、側面には円周に沿って一定ピッチの歯１２４０ａが設けられ、一端面には円周に沿って一定ピッチの柱１２４０ｂが設けられている。作動カム１２４０は、歯１２４０ａと歯１２４０ａの間に係止してしている作動カムジャンパ１２４１により静止時の位相が規正されており、作動レバー１２４２の先端部に設けた作動カム回転部１２４２ｄにより反時計回りに回転される。
【００６０】
スタート／ストップの作動機構は、図８に示すように、作動レバー１２４２、スイッチレバーＡ１２４３及び伝達レバーばね１２４４により構成されている。作動レバー１２４２は、略Ｌ字の平板状に形成されており、一端部には曲げ形状で構成された押圧部１２４２ａ、楕円状の貫通孔１２４２ｂ及びピン１２４２ｃが設けられ、他端部の先端部には鋭角の押圧部１２４２ｄが設けられている。このような作動レバー１２４２は、押圧部１２４２ａをスタート／ストップボタン１２０１に対向させ、貫通孔１２４２ｂ内に第３中間受板２００３に固定されているピン１２４２ｅを挿入し、ピン１２４２ｃに伝達レバーばね１２４４の一端を係止させ、押圧部１２４２ｄを作動カム１２４０の近傍に配置することにより、スタート／ストップの作動機構として構成される。
【００６１】
スイッチレバーＡ１２４３は、一端部はスイッチ部１２４３ａとして形成され、略中央部には平面的な突起部１２４３ｂが設けられ、他端部は係止部１２４３ｃとして形成されている。このようなスイッチレバーＡ１２４３は、略中央部を第３中間受板２００３に固定されているピン１２４３ｄに回転可能に軸支し、スイッチ部１２４３ａを回路基板１７０４のスタート回路の近傍に配置し、突起部１２４３ｂを作動カム１２４０の軸方向に設けた柱部１２４０ｂに接触するように配置し、係止部１２４３ｃを第３中間受板２００３に固定されているピン１２４３ｅに係止させることにより、スタート／ストップの作動機構として構成される。即ち、スイッチレバーＡ１２４３のスイッチ部１２４３ａは、回路基板１７０４のスタート回路と接触してスイッチ入力となる。尚、地板１７０１等を介して２次電源１５００と電気的に接続されているスイッチレバーＡ１２４３は、２次電源１５００の正極と同じ電位を有している。
【００６２】
以上のような構成のスタート／ストップの作動機構の動作例を、クロノグラフをスタートさせる場合について、図８〜図１０を参照して説明する。
【００６３】
クロノグラフがストップ状態にあるときは、図８に示すように、作動レバー１２４２は、押圧部１２４２ａがスタート／ストップボタン１２０１から離れ、ピン１２４２ｃが伝達レバーばね１２４４の弾性力により図示矢印ａ方向に押圧され、貫通孔１２４２ｂの一端がピン１２４２ｅに図示矢印ｂ方向に押圧された状態で位置決めされている。このとき、作動レバー１２４２の先端部１２４２ｄは、作動カム１２４０の歯１２４０ａと歯１２４０ａの間に位置している。
【００６４】
スイッチレバーＡ１２４３は、突起部１２４３ｂが作動カム１２４０の柱１２４０ｂにより、スイッチレバーＡ１２４３の他端に設けたばね部１２４３ｃのばね力に対抗するように押し上げられ、係止部１２４３ｃがピン１２４３ｅに図示矢印ｃ方向に押圧された状態で位置決めされている。このとき、スイッチレバーＡ１２４３のスイッチ部１２４３ａは、回路基板１７０４のスタート回路から離れており、スタート回路は電気的に遮断状態にある。
【００６５】
この状態からクロノグラフをスタート状態に移行させるために、図９に示すように、スタート／ストップボタン１２０１を図示矢印ａ方向に押すと、作動レバー１２４２の押圧部１２４２ａがスタート／ストップボタン１２０１と接触して図示矢印ｂ方向に押圧され、ピン１２４２ｃが伝達レバーばね１２４４を押圧して図示矢印ｃ方向に弾性変形させる。従って、作動レバー１２４２全体は、貫通孔１２４２ｂとピン１２４２ｅをガイドとして図示矢印ｄ方向に移動する。このとき、作動レバー１２４２の先端部１２４２ｄは、作動カム１２４０の歯１２４０ａの側面と接触して押圧し、作動カム１２４０を図示矢印ｅ方向に回転させる。
【００６６】
同時に、作動カム１２４０の回転により柱１２４０ｂの側面と、スイッチレバーＡ１２４３の突起部１２４３ｂの位相がずれ、柱１２４０ｂと柱１２４０ｂの隙間まで達すると、突起部１２４３ｂはばね部１２４３ｃの復元力により上記隙間に入り込む。従って、スイッチレバーＡ１２４３のスイッチ部１２４３ａは、図示矢印ｆ方向に回転して回路基板１７０４のスタート回路に接触するので、スタート回路は電気的に導通状態となる。
【００６７】
尚、このとき、作動カムジャンパ１２４１の先端部１２４１ａは、作動カム１２４０の歯１２４０ａにより押し上げられている。
【００６８】
そして、上記動作は、作動レバー１２４２の歯１２４０ａが１ピッチ分送られるまで継続される。
【００６９】
その後、スタート／ストップボタン１２０１から手を離すと、図１０に示すように、スタート／ストップボタン１２０１は、内蔵されているばねにより自動的に元の状態に復帰する。そして、作動レバー１２４２のピン１２４２ｃが、伝達レバーばね１２４４の復元力により図示矢印ａ方向に押圧される。従って、作動レバー１２４２全体は、貫通孔１２４２ｂとピン１２４２ｅをガイドとして、貫通孔１２４２ｂの一端がピン１２４２ｅに接触するまで図示矢印ｂ方向に移動し、図８と同位置の状態に復帰する。
【００７０】
このときは、スイッチレバーＡ１２４３の突起部１２４３ｂは、作動カム１２４０の柱１２４０ｂと柱１２４０ｂの隙間に入り込んだままであるので、スイッチ部１２４３ａは回路基板１７０４のスタート回路に接触した状態となり、スタート回路は電気的に導通状態が維持される。従って、クロノグラフはスタート状態が維持される。
【００７１】
尚、このとき、作動カムジャンパ１２４１の先端部１２４１ａは、作動カム１２４０の歯１２４０ａと歯１２４０ａの間に入り込み、作動カム１２４０の逆回転を規正している。
【００７２】
一方、クロノグラフをストップさせる場合は、上記スタート動作と同様の動作が行われ、最終的には図８に示す状態に戻る。
【００７３】
以上のように、スタート／ストップボタン１２０１の押し込み動作により、作動レバー１２４２を揺動させて作動カム１２４０を回転させ、スイッチレバーＡ１２４３を揺動させてクロノグラフのスタート／ストップを制御することができる。
【００７４】
リセットの作動機構は、図５に示すように、作動カム１２４０、伝達レバー１２５１、復針伝達レバー１２５２、復針中間レバー１２５３、復針起動レバー１２５４、伝達レバーばね１２４４、復針中間レバーばね１２５５、復針ジャンパ１２５６及びスイッチレバーＢ１２５７により構成されている。さらに、リセットの作動機構は、ハートカムＡ１２６１、帰零レバーＡ１２６２、帰零レバーＡばね１２６３、ハートカムＢ１２６４、帰零レバーＢ１２６５、帰零レバーＢばね１２６６、ハートカムＣ１２６７、帰零レバーＣ１２６８、帰零レバーＣばね１２６９、ハートカムＤ１２７０、帰零レバーＤ１２７１及び帰零レバーＤばね１２７２により構成されている。
【００７５】
ここで、クロノグラフのリセットの作動機構は、クロノグラフがスタート状態においては作動せず、クロノグラフがストップ状態になって作動するように構成されている。このような機構を安全機構といい、先ず、この安全機構を構成している伝達レバー１２５１、復針伝達レバー１２５２、復針中間レバー１２５３、伝達レバーばね１２４４、復針中間レバーばね１２５５、復針ジャンパ１２５６について図１１を参照して説明する。尚、図では復針中間レバーばね１２５５及び復針ジャンパ１２５６は省略されている。
【００７６】
伝達レバー１２５１は、略Ｙ字の平板状に形成されており、一端部には押圧部１２５１ａが設けられ、二股の一端部には楕円状の貫通孔１２５１ｂが設けられ、押圧部１２５１ａと貫通孔１２５１ｂの中間部にはピン１２５１ｃが設けられている。このような伝達レバー１２５１は、押圧部１２５１ａをリセットボタン１２０２に対向させ、貫通孔１２５１ｂ内に復針伝達レバー１２５２のピン１２５２ｃを挿入し、二股の他端部をムーブメント側に固定されているピン１２５１ｄに回転可能に軸支させ、ピン１２５１ｃに伝達レバーばね１２４４の他端を係止させることにより、リセットの作動機構として構成される。
【００７７】
復針伝達レバー１２５２は、略矩形平板状の第１復針伝達レバー１２５２ａと第２復針伝達レバー１２５２ｂとが、重ね合わされて略中央部で相互に回転可能な軸１２５２ｇに軸支されて成る。第１復針伝達レバー１２５２ａの一端部には上記ピン１２５２ｃが設けられ、第２復針伝達レバー１２５２ｂの両端部にはそれぞれ押圧部１２５２ｄ、１２５２ｅが形成されている。このような復針伝達レバー１２５２は、ピン１２５２ｃを伝達レバー１２５１の貫通孔１２５１ｂ内に挿入し、第１復針伝達レバー１２５２ａの他端部を第３中間受板２００３に固定されているピン１２５２ｆに回転可能に軸支させ、さらに押圧部１２５２ｄを復針中間レバー１２５３の押圧部１２５３ｃに対向させ、押圧部１２５２ｅを作動カム１２４０の近傍に配置することにより、リセットの作動機構として構成される。
【００７８】
復針中間レバー１２５３は、略矩形の平板状に形成されており、一端部及び中間部にはそれぞれピン１２５３ａ、１２５３ｂが設けられ、他端部の一方の角部は押圧部１２５３ｃとして形成されている。このような復針中間レバー１２５３は、ピン１２５３ａに復針中間レバーばね１２５５の一端を係止させ、ピン１２５３ｂに復針ジャンパ１２５６の一端を係止させ、押圧部１２５３ｃを第２復針伝達レバー１２５２ｂの押圧部１２５２ｄに対向させ、他端部の他方の角部を第３中間受板２００３に固定されているピン１２５３ｄに回転可能に軸支させることにより、リセットの作動機構として構成される。
【００７９】
以上のような構成の安全機構の動作例を、図１１〜図１４を参照して説明する。
【００８０】
クロノグラフがスタート状態にあるときは、図１１に示すように、伝達レバー１２５１は、押圧部１２５１ａがリセットボタン１２０２から離れ、ピン１２５１ｃが伝達レバーばね１２４４の弾性力により図示矢印ａ方向に押圧された状態で位置決めされている。このとき、第２復針伝達レバー１２５２ｂの押圧部１２５２ｅは、作動カム１２４０の柱１２４０ｂと柱１２４０ｂの隙間の外側に位置している。
【００８１】
この状態で、図１２に示すように、リセットボタン１２０２を図示矢印ａ方向に押すと、伝達レバー１２５１の押圧部１２５１ａがリセットボタン１２０２と接触して図示矢印ｂ方向に押圧され、ピン１２５１ｃが伝達レバーばね１２４４を押圧して図示矢印ｃ方向に弾性変形させる。従って、伝達レバー１２５１全体は、ピン１２５１ｄを中心に図示矢印ｄ方向に回転する。そして、この回転に伴って、第１復針伝達レバー１２５２ａのピン１２５２ｃは、伝達レバー１２５１の貫通孔１２５１ｂに沿って移動するので、第１復針伝達レバー１２５２ａは、ピン１２５２ｆを中心に図示矢印ｅ方向に回転する。
【００８２】
このとき、第２復針伝達レバー１２５２ｂの押圧部１２５２ｅは、作動カム１２４０の柱１２４０ｂと柱１２４０ｂの隙間に入り込むので、押圧部１２５２ｄは、復針中間レバー１２５３の押圧部１２５３ｃと接触しても、第２復針伝達レバー１２５２ｂが、軸１２５２ｇを中心に回転してストロークが吸収されるため、押圧部１２５３ｃが押圧部１２５２ｄに押されることはない。従って、リセットボタン１２０２の操作力は、復針伝達レバー１２５２で途切れて後述する復針中間レバー１２５３以降のリセットの作動機構に伝達されないので、クロノグラフがスタート状態にあるときに、誤ってリセットボタン１２０２を押してもクロノグラフがリセットされることを防止することができる。
【００８３】
一方、クロノグラフがストップ状態にあるときは、図１３に示すように、伝達レバー１２５１は、押圧部１２５１ａがリセットボタン１２０２から離れ、ピン１２５１ｃが伝達レバーばね１２４４の弾性力により図示矢印ａ方向に押圧された状態で位置決めされている。このとき、第２復針伝達レバー１２５２ｂの押圧部１２５２ｅは、作動カム１２４０の柱１２４０ｂの側面に接触している。
【００８４】
この状態で、図１４に示すように、リセットボタン１２０２を手で図示矢印ａ方向に押すと、伝達レバー１２５１の押圧部１２５１ａがリセットボタン１２０２と接触して図示矢印ｂ方向に押圧され、ピン１２５１ｃが伝達レバーばね１２４４を押圧して図示矢印ｃ方向に弾性変形させる。従って、伝達レバー１２５１全体は、ピン１２５１ｄを中心に図示矢印ｄ方向に回転する。そして、この回転に伴って、第１復針伝達レバー１２５２ａのピン１２５２ｃを、貫通孔１２５１ｂに沿って移動させるので、第１復針伝達レバー１２５２ａは、ピン１２５２ｆを中心に図示矢印ｅ方向に回転する。
【００８５】
このとき、第２復針伝達レバー１２５２ｂの押圧部１２５２ｅは、作動カム１２４０の柱１２４０ｂの側面で止められるので、第２復針伝達レバー１２５２ｂは、軸１２５２ｇを回転中心として図示矢印ｆ方向に回転することになる。この回転により、第２復針伝達レバー１２５２ｂの押圧部１２５２ｄは、復針中間レバー１２５３の押圧部１２５３ｃと接触して押圧するので、復針中間レバー１２５３は、ピン１２５３ｄを中心に図示矢印ｇ方向に回転することになる。従って、リセットボタン１２０２の操作力は、後述する復針中間レバー１２５３以降のリセットの作動機構に伝達されるので、クロノグラフがストップ状態にあるときは、リセットボタン１２０２を押すことによりクロノグラフをリセットすることができる。尚、このリセットがかかると、スイッチレバーＢ１２５７の接点が回路基板１７０４のリセット回路に接触して、クロノグラフを電気的にリセットする。
【００８６】
次に、図５に示すクロノグラフのリセット作動機構の主要機構を構成している復針起動レバー１２５４、ハートカムＡ１２６１、帰零レバーＡ１２６２、帰零レバーＡばね１２６３、ハートカムＢ１２６４、帰零レバーＢ１２６５、帰零レバーＢばね１２６６、ハートカムＣ１２６７、帰零レバーＣ１２６８、帰零レバーＣばね１２６９、ハートカムＤ１２７０、帰零レバーＤ１２７１及び帰零レバーＤばね１２７２について図１５を参照して説明する。
【００８７】
復針起動レバー１２５４は、略Ｉ字の平板状に形成されており、一端部には楕円状の貫通孔１２５４ａが設けられ、他端部にはレバーＤ抑え部１２５４ｂが形成され、中央部にはレバーＢ抑え部１２５４ｃ及びレバーＣ抑え部１２５４ｄが形成されている。このような復針起動レバー１２５４は、中央部を回転可能となるように固定し、貫通孔１２５４ａ内に復針中間レバー１２５３のピン１２５３ｂを挿入することにより、リセットの作動機構として構成される。
【００８８】
ハートカムＡ１２６１、Ｂ１２６４、Ｃ１２６７、Ｄ１２７０は、１／１０秒ＣＧ車１２３２、１秒ＣＧ車１２２３、分ＣＧ車１２１６及び時ＣＧ車１２１７の各回転軸にそれぞれ固定されている。
【００８９】
帰零レバーＡ１２６２は、一端がハートカムＡ１２６１を叩くハンマ部１２６２ａとして形成され、他端部には回転規正部１２６２ｂが形成され、中央部にはピン１２６２ｃが設けられている。このような帰零レバーＡ１２６２は、他端部を第３中間受板２００３に固定されているピン１２５３ｄに回転可能に軸支させ、ピン１２６２ｃに帰零レバーＡばね１２６３の一端を係止させることにより、リセットの作動機構として構成される。
【００９０】
帰零レバーＢ１２６５は、一端がハートカムＢ１２６４を叩くハンマ部１２６５ａとして形成され、他端部には回転規正部１２６５ｂ及び押圧部１２６５ｃが形成され、中央部にはピン１２６５ｄが設けられている。このような帰零レバーＢ１２６５は、他端部を第３中間受板２００３に固定されているピン１２５３ｄに回転可能に軸支させ、ピン１２６５ｄに帰零レバーＢばね１２６６の一端を係止させることにより、リセットの作動機構として構成される。
【００９１】
帰零レバーＣ１２６８は、一端がハートカムＣ１２６７を叩くハンマ部１２６８ａとして形成され、他端部には回転規正部１２６８ｂ及び押圧部１２６８ｃが形成され、中央部にはピン１２６８ｄが設けられている。このような帰零レバーＣ１２６８は、他端部をムーブメント側に固定されているピン１２６８ｅに回転可能に軸支させ、ピン１２６８ｄに帰零レバーＣばね１２６９の一端を係止させることにより、リセットの作動機構として構成される。
【００９２】
帰零レバーＤ１２７１は、一端がハートカムＤ１２７０を叩くハンマ部１２７１ａとして形成され、他端部にはピン１２７１ｂが設けられている。このような帰零レバーＤ１２７１は、他端部を第３中間受板２００３に固定されているピン１２７１ｃに回転可能に軸支させ、ピン１２７１ｂに帰零レバーＤばね１２７２の一端を係止させることにより、リセットの作動機構として構成される。
【００９３】
以上のような構成のリセットの作動機構の動作例を、図１５及び図１６を参照して説明する。
【００９４】
クロノグラフがストップ状態にあるときは、図１５に示すように、帰零レバーＡ１２６２は、回転規正部１２６２ｂが帰零レバーＢ１２６５の回転規正部１２６５ｂに係止され、ピン１２６２ｃが帰零レバーＡばね１２６３の弾性力により図示矢印ａ方向に押圧された状態で位置決めされている。
【００９５】
帰零レバーＢ１２６５は、回転規正部１２６５ｂが復針起動レバー１２５４のレバーＢ抑え部１２５４ｃに係止されていると共に、押圧部１２６５ｃが作動カム１２４０の柱１２４０ｂの側面に押圧され、ピン１２６５ｄが帰零レバーＢばね１２６６の弾性力により図示矢印ｂ方向に押圧された状態で位置決めされている。
【００９６】
帰零レバーＣ１２６８は、回転規正部１２６８ｂが復針起動レバー１２５４のレバーＣ抑え部１２５４ｄに係止されていると共に、押圧部１２６８ｃが作動カム１２４０の柱１２４０ｂの側面に押圧され、ピン１２６８ｄが帰零レバーＣばね１２６９の弾性力により図示矢印ｃ方向に押圧された状態で位置決めされている。
【００９７】
帰零レバーＤ１２７１は、ピン１２７１ｂが、復針起動レバー１２５４のレバーＤ抑え部１２５４ｂに係止されていると共に、帰零レバーＤばね１２７２の弾性力により図示矢印ｄ方向に押圧された状態で位置決めされている。
【００９８】
従って、各帰零レバーＡ１２６２、Ｂ１２６５、Ｃ１２６８、Ｄ１２７１の各ハンマ部１２６２ａ、１２６５ａ、１２６８ａ、１２７１ａは、各ハートカムＡ１２６１、Ｂ１２６４、Ｃ１２６７、Ｄ１２７０から所定距離離れて位置決めされている。
【００９９】
この状態で、図１４に示したように、復針中間レバー１２５３が、ピン１２５３ｄを中心に図示矢印ｇ方向に回転すると、図１６に示すように、復針中間レバー１２５３のピン１２５３ｂが、復針起動レバー１２５４の貫通孔１２５４ａ内で貫通孔１２５４ａを押しながら移動するので、復針起動レバー１２５４は図示矢印ａ方向に回転する。
【０１００】
すると、帰零レバーＢ１２６５の回転規正部１２６５ｂが、復針起動レバー１２５４のレバーＢ抑え部１２５４ｃから外れ、帰零レバーＢ１２６５の押圧部１２６５ｃが、作動カム１２４０の柱１２４０ｂと柱１２４０ｂの隙間に入り込む。これにより、帰零レバーＢ１２６５のピン１２６５ｄが、帰零レバーＢばね１２６６の復元力により図示矢印ｃ方向に押圧される。同時に、回転規正部１２６２ｂの規正が解除され、帰零レバーＡ１２６２のピン１２６２ｃが、帰零レバーＡばね１２６３の復元力により図示矢印ｂ方向に押圧される。従って、帰零レバーＡ１２６２及び帰零レバーＢ１２６５は、ピン１２５３ｄを中心に図示矢印ｄ方向及びｅ方向に回転し、各ハンマ部１２６２ａ及び１２６５ａが、各ハートカムＡ１２６１及びＢ１２６４を叩いて回転させ、１／１０秒クロノグラフ針１２３１及び１秒クロノグラフ針１２２１をそれぞれ帰零させる。
【０１０１】
同時に、帰零レバーＣ１２６８の回転規正部１２６８ｂが、復針起動レバー１２５４のレバーＣ抑え部１２５４ｄから外れ、帰零レバーＣ１２６８の押圧部１２６８ｃが、作動カム１２４０の柱１２４０ｂと柱１２４０ｂの隙間に入り込み、帰零レバーＣ１２６８のピン１２６８ｄが、帰零レバーＣばね１２６９の復元力により図示矢印ｆ方向に押圧される。さらに、帰零レバーＤ１２７１のピン１２７１ｂが、復針起動レバー１２５４のレバーＤ抑え部１２５４ｂから外れる。これにより、帰零レバーＤ１２７１のピン１２７１ｂが、帰零レバーＤばね１２７２の復元力により図示矢印ｈ方向に押圧される。従って、帰零レバーＣ１２６８及び帰零レバーＤ１２７１は、ピン１２６８ｅ及びピン１２７１ｃを中心に図示矢印ｉ方向及びｊ方向に回転し、各ハンマ部１２６８ａ及び１２７１ａが、各ハートカムＣ１２６７及びＤ１２７０を叩いて回転させ、時分クロノグラフ針１２１１、１２１２をそれぞれ帰零させる。
【０１０２】
以上の一連の動作により、クロノグラフがストップ状態にあるときは、リセットボタン１２０２を押すことによりクロノグラフをリセットすることができる。
【０１０３】
以上のように、１２時間表示部１２１０、６０秒間表示部１２２０及び１秒間表示部１２３０を計時装置１０００の本体の中心から等距離で放射状に配置し、作動カム１２４０を計時装置１０００の本体の略中央部に配置したことにより、帰零機構１２００Ｒ全体をコンパクトに構成することができ、計時装置１０００の本体を小型化することができる。また、帰零レバーＡ１２６２、帰零レバーＢ１２６５、帰零レバーＣ１２６８、帰零レバーＤ１２７１の長さを略同一にして各帰零レバーを１つの作動カム１２４０で動作させることができるので、各ハートカムＡ１２６１、Ｂ１２６４、Ｃ１２６７及びＤ１２７０を叩くときの各帰零レバーのトルクやタイミングを同一に設計したり、各クロノグラフ針１２３１、１２２１、１２１１及び１２１２に同一の針を用いることが可能となり、精度をより高めることができる。
【０１０４】
図１７は、図１の計時装置１０００の機構的な部分を除いたシステム全体の構成例を示す概略ブロック図である。
【０１０５】
音叉型水晶振動子１７０３を含む水晶発振回路１８０１から出力される例えば発振周波数３２ｋＨｚの信号ＳＱＢは、高周波分周回路１８０２に入力されて１６ｋＨｚから１２８Ｈｚの周波数まで分周される。高周波分周回路１８０２で分周された信号ＳＨＤは、低周波分周回路１８０３に入力されて６４Ｈｚから１／８０Ｈｚの周波数まで分周される。尚、この低周波分周回路１８０３の発生周波数は、低周波分周回路１８０３に接続されている基本時計リセット回路１８０４によりリセット可能となっている。
【０１０６】
低周波分周回路１８０３で分周された信号ＳＬＤは、タイミング信号としてモータパルス発生回路１８０５に入力され、この分周信号ＳＬＤが例えば１秒又は１／１０秒毎にアクティブになるとモータ駆動用のパルスとモータの回転等の検出用のパルスＳＰＷが生成される。モータパルス発生回路１８０５で生成されたモータ駆動用のパルスＳＰＷは、通常時刻部１１００のモータ１３００に対して供給され、通常時刻部１１００のモータ１３００が駆動され、また、これとは異なるタイミングでモータの回転等の検出用のパルスＳＰＷは、モータ検出回路１８０６に対して供給され、モータ１３００の外部磁界及びモータ１３００のロータの回転が検出される。そして、モータ検出回路１８０６で検出された外部磁界検出信号及び回転検出信号ＳＤＷは、モータパルス発生回路１８０５に対してフィードバックされる。
【０１０７】
発電装置１６００で発電される交流電圧ＳＡＣは、充電制御回路１８１１を介して整流回路１６０９に入力され、例えば半波整流され直流電圧ＳＤＣとされて２次電池１５００に充電される。２次電池１５００の両端間の電圧ＳＶＢは、電圧検出回路１８１２により常時あるいは随時検出されており、２次電池１５００の充電量の過不足状態により、対応する充電制御指令ＳＦＣが充電制御回路１８１１に入力される。そして、この充電制御指令ＳＦＣに基づいて、発電装置１６００で発電される交流電圧ＳＡＣの整流回路１６０９への供給の停止・開始が制御される。
【０１０８】
一方、２次電源１５００に充電された直流電圧ＳＤＣは、昇圧用コンデンサ１８１３ａを含んでいる昇圧回路１８１３に入力されて所定の倍数で昇圧される。そして、昇圧された直流電圧ＳＤＵは、大容量コンデンサ１８１４に蓄電される。
【０１０９】
ここで、昇圧は、２次電源１５００の電圧がモータや回路の動作電圧を下回った場合でも確実に動作させるための手段である。即ち、モータや回路は共に大容量コンデンサ１８１４に蓄えられている電気エネルギで駆動される。但し、２次電源１５００の電圧が１．３Ｖ近くまで大きくなると、大容量コンデンサ１８１４と２次電源１５００を並列に接続して使用している。
【０１１０】
大容量コンデンサ１８１４の両端間の電圧ＳＶＣは、電圧検出回路１８１２により常時あるいは随時検出されており、大容量コンデンサ１８１４の電気量の残量状態により、対応する昇圧指令ＳＵＣが昇圧制御回路１８１５に入力される。そして、この昇圧指令ＳＵＣに基づいて、昇圧回路１８１３における昇圧倍率ＳＷＣが制御される。昇圧倍率とは、２次電源１５００の電圧を昇圧し大容量コンデンサ１８１４に発生させる場合の倍率のことで、（大容量コンデンサ１８１４の電圧）／（２次電源１５００の電圧）で表すと３倍、２倍、１．５倍、１倍等といった倍率で制御される。
【０１１１】
スタート／ストップボタン１２０１に付随しているスイッチＡ１８２１及びリセットボタン１２０２に付随しているスイッチＢ１８２２からのスタート信号ＳＳＴあるいはストップ信号ＳＳＰ又はリセット信号ＳＲＴは、スタート／ストップボタン１２０１が押されたか否かを判断するスイッチ入力回路１８２３又はリセットボタン１２０２が押されたか否かを判断するスイッチ入力回路／チャタリング防止回路１８２３を介して、クロノグラフにおける各モードを制御するモード制御回路１８２４に入力される。尚、スイッチＡ１８２１には、スイッチ保持機構であるスイッチレバーＡ１２４３が備えられ、スイッチＢ１８２２には、スイッチレバーＢ１２５７が備えられている。
【０１１２】
また、高周波分周回路１８０２で分周された信号ＳＨＤも、モード制御回路１８２４に入力される。そして、スタート信号ＳＳＴにより、モード制御回路１８２４よりスタート／ストップ制御信号ＳＭＣが出力され、このスタート／ストップ制御信号ＳＭＣによりクロノグラフ基準信号発生回路１８２５で生成されたクロノグラフ基準信号ＳＣＢが、モータパルス発生回路１８２６に入力される。
【０１１３】
一方、クロノグラフ基準信号発生回路１８２５で生成されたクロノグラフ基準信号ＳＣＢは、クロノグラフ用低周波分周回路１８２７にも入力され、高周波分周回路１８０２で分周された信号ＳＨＤが、このクロノグラフ基準信号ＳＣＢに同期して６４Ｈｚから１６Ｈｚの周波数まで分周される。そして、クロノグラフ用低周波分周回路１８２７で分周された信号ＳＣＤが、モータパルス発生回路１８２６に入力される。
【０１１４】
そして、クロノグラフ基準信号ＳＣＢ及び分周信号ＳＣＤは、タイミング信号としてモータパルス発生回路１８２６に入力される。例えば１／１０秒又は１秒毎のクロノグラフ基準信号ＳＣＢの出力タイミングから分周信号ＳＣＤがアクティブとなり、この分周信号ＳＣＤ等によりモータ駆動用のパルスとモータの回転等の検出用のパルスＳＰＣが生成される。モータパルス発生回路１８２６で生成されたモータ駆動用のパルスＳＰＣは、クロノグラフのモータ１４００に対して供給され、クロノグラフのモータ１４００が駆動され、また、これとは異なるタイミングでモータの回転等の検出用のパルスＳＰＣは、モータ検出回路１８２８に対して供給され、モータ１４００の外部磁界及びモータ１４００のロータの回転が検出される。そして、モータ検出回路１８２８で検出された外部磁界検出信号及び回転検出信号ＳＤＧは、モータパルス発生回路１８２６に対してフィードバックされる。
【０１１５】
さらに、クロノグラフ基準信号発生回路１８２５で生成されたクロノグラフ基準信号ＳＣＢは、例えば１６ｂｉｔの自動停止カウンタ１８２９にも入力されてカウントされる。そして、このカウントが所定の値、即ち測定限界時間に達したとき、自動停止信号ＳＡＳがモード制御回路１８２４に入力される。このときは、ストップ信号ＳＳＰが、クロノグラフ基準信号発生回路１８２５に対して入力され、クロノグラフ基準信号発生回路１８２５がストップされると共にリセットされる。
【０１１６】
また、モード制御回路１８２４にストップ信号ＳＳＰが入力されると、スタート／ストップ制御信号ＳＭＣの出力が停止し、クロノグラフ基準信号ＳＣＢの生成も停止されてクロノグラフのモータ１４００の駆動が停止される。そして、クロノグラフ基準信号ＳＣＢの生成停止後、つまり、後述するスタート／ストップ制御信号ＳＭＣの生成停止後に、モード制御回路１８２４に入力されたリセット信号ＳＲＴは、リセット制御信号ＳＲＣとしてクロノグラフ基準信号発生回路１８２５及び自動停止カウンタ１８２９に入力され、クロノグラフ基準信号発生回路１８２５及び自動停止カウンタ１８２９がリセットされると共に、各クロノグラフ針がリセット（帰零）される。
【０１１７】
本発明は、上記実施の形態に限定されず、特許請求の範囲を逸脱しない範囲で種々の変更を行うことができる。
【０１１８】
例えば、上記実施形態では、通常時刻の駆動用のモータ１３００とクロノグラフの駆動用のモータ１４００をそれぞれ別個独立に２台備えているが、通常時刻部とクロノグラフ部を１台の駆動用のモータで駆動するように構成すれば、さらに小型化及び省電力化を図ることが可能となる。
【０１１９】
また、計時装置として、アナログ表示式のクロノグラフ機能を有する電子時計について説明したが、特にこれに限定されるものではなく、アナログ表示式の多機能の計時装置に対して適用可能である。
【図面の簡単な説明】
【図１】本発明の計時装置の実施形態を表側から見た平面図。
【図２】図１に示す計時装置のムーブメントを計時装置の裏側から見た平面図。
【図３】図２に示すムーブメントの上に配設された回路基板を計時装置の裏側から見た平面図。
【図４】図３に示す回路基板の上に配設された第１中間受板、第２中間受板及び第３中間受板を計時装置の裏側から見た平面図。
【図５】図４に示す第２中間受板の上に配設され、機械的エネルギを電気的エネルギに変換し、通常時刻計時部及び時刻情報計時部を駆動するための駆動電圧を発生する発電装置（回転錘を除く発電機構）及び図４に示す第３中間受板の上に配設され、通常時刻以外の時刻情報の計時を帰零させるための帰零機構を計時装置の裏側から見た平面図。
【図６】図５の発電機構の上に配設される発電装置の回転錘を計時装置の裏側から見た平面図。
【図７】図５の帰零機構の主要部の概略構成例を示す断面側面図。
【図８】図７の帰零機構のスタート／ストップの作動機構の動作例を示す第１の平面図。
【図９】図７の帰零機構のスタート／ストップの作動機構の動作例を示す第２の平面図。
【図１０】図７の帰零機構のスタート／ストップの作動機構の動作例を示す第３の平面図。
【図１１】図７の帰零機構の安全機構の動作例を示す第１の斜視図。
【図１２】図７の帰零機構の安全機構の動作例を示す第２の斜視図。
【図１３】図７の帰零機構の安全機構の動作例を示す第３の斜視図。
【図１４】図７の帰零機構の安全機構の動作例を示す第４の斜視図。
【図１５】図７の帰零機構のリセット作動機構の主要機構の動作例を示す第１の平面図。
【図１６】図７の帰零機構のリセット作動機構の主要機構の動作例を示す第２の平面図。
【図１７】図１の計時装置に用いられている制御回路の構成例を示す概略ブロック図。
【図１８】従来の計時装置の帰零機構の一例を示す平面図。
【符号の説明】
１０００  計時装置
１２００Ｒ  帰零機構
１２４０  作動カム
１２６２  帰零レバーＡ
１２６５  帰零レバーＢ
１２６８  帰零レバーＣ
１２７１  帰零レバーＤ
１３００  モータ
１４００  モータ
１５００  ２次電源
１６００  発電装置
１７００  ムーブメント
１８００  制御回路
【図１】
0003642237.tif 000002
【図２】
0003642237.tif 000003
【図３】
0003642237.tif 000004
【図４】
0003642237.tif 000005
【図５】
0003642237.tif 000006
【図６】
0003642237.tif 000007
【図７】
0003642237.tif 000008
【図８】
0003642237.tif 000009
【図９】
0003642237.tif 000010
【図１０】
0003642237.tif 000011
【図１１】
0003642237.tif 000012
【図１２】
0003642237.tif 000013
【図１３】
0003642237.tif 000014
【図１４】
0003642237.tif 000015
【図１５】
0003642237.tif 000016
【図１６】
0003642237.tif 000017
【図１７】
0003642237.tif 000018
【図１８】
0003642237.tif 000019